(57)【要約】【課題】比較的大きく変位可能な触覚式呼出装置を備えた折畳式携帯電話機の提供。【解決手段】折畳式携帯電話機１は、ヒンジ結合部２を以って本体器３と蓋器４とが相対的に開閉可能で、蓋器４を本体器３に重なる閉蓋方向へ付勢する弾性手段を備える。本体器３の反ヒンジ結合部側の隅部において、電流制御手段からの給電による励磁で蓋器４の反ヒンジ結合部側の隅部へ突出してこれを突き動かす押動ロッド１６を持つアクチュエータ１０を設けて成る。【選択図】      図１
2006140889.tif 000002
【特許請求の範囲】
【請求項１】
ヒンジ結合部を以って本体器と蓋器とが相対的に開閉可能で、前記蓋器を前記本体器に重なる閉蓋方向へ付勢する弾性手段を備えた折畳式携帯電話機であって、
前記本体器及び前記蓋器のうち一方の反ヒンジ結合部側において、電流制御手段からの給電による励磁で前記本体器及び前記蓋器のうち他方の反ヒンジ結合部側へ突出する押動部材を持つアクチュエータを有して成ることを特徴とする折畳式携帯電話機。
【請求項２】
請求項１において、前記アクチュエータは、ソレノイドと、このソレノイドの中空の軸方向に一端開口から挿入した第１コア部及びこの第１コア部の前記一端開口側で一体的に連結し前記ソレノイドの外に延在する第１磁気吸着部を備えた第１ヨークと、前記ソレノイドの前記中空の軸方向に他端開口から挿入した第２コア部及びこの第２コア部の前記他端開口側で一体的に連結し前記ソレノイドの外に延在する第２磁気吸着部を備えた第２ヨークと、前記ソレノイドの非励磁状態では第１磁気吸着部及び第２磁気吸着部に対して離間した位置で受け止めされており、前記ソレノイドの励磁により前記第１磁気吸着部及び第２磁気吸着部に磁気吸引されて前記軸方向に対して直交した方向に動く可動体と、この可動体に取着された前記押動部材とを有することを特徴とする折畳式携帯電話機。
【請求項３】
ソレノイドと、このソレノイドの中空の軸方向に一端開口から挿入した第１コア部及びこの第１コア部の前記一端開口側で一体的に連結し前記ソレノイドの外に延在する第１磁気吸着部を備えた第１ヨークと、前記ソレノイドの前記中空の軸方向に他端開口から挿入した第２コア部及びこの第２コア部の前記他端開口側で一体的に連結し前記ソレノイドの外に延在する第２磁気吸着部を備えた第２ヨークと、前記ソレノイドの非励磁状態では第１磁気吸着部及び第２磁気吸着部に対して離間した位置で受け止めされており、前記ソレノイドの励磁により第１磁気吸着部及び第２磁気吸着部に磁気吸引されて前記軸方向に対して直交した方向に動く可動体と、この可動体に取着された押動部材とを有することを特徴とするアクチュエータ。
【請求項４】
請求項３において、第１磁気吸着部と第２磁気吸着部は前記軸方向と平行であって前記ソレノイドの側面寄りに空部を挟んで対向し、前記押動部材は前記空部内を通る押動ロッドであることを特徴とするアクチュエータ。
【請求項５】
請求項４において、前記空部に嵌る係合部を一体的に有するケースを備え、前記係合部は前記押動ロッドを案内するための案内孔を有することを特徴とするアクチュエータ。
【発明の詳細な説明】
【技術分野】
【０００１】
本発明は、折畳式携帯電話機に関し、特に、触覚式呼出装置を備えた折畳式携帯電話機に関する。
【背景技術】
【０００２】
従来、携帯電話機においては、着信信号の持続期間に亘り、呼出音の他に振動モータによる振動告知を行なう触覚式呼出装置を備えたものが知られている。振動モータは着信信号を契機に一定時間だけ振動した後所定時間だけ振動休止する動作を繰り返す。この振動モータは一般にブラシ付モータ本体とこれから突出したモータ軸に取着した偏心錘とから成り、通常、携帯電話機の本体器側に内蔵した基板の上に横臥姿勢で実装されている。
【発明の開示】
【発明が解決しようとする課題】
【０００３】
振動源としての振動モータを用いる理由は、永年蓄えた小形モータの製造技術の上に、モータ軸に偏心錘を取着するだけで済む簡便性等からであるが、振動モータを用いた触覚式呼出装置においては次のような問題点がある。
【０００４】
小型化が要求される振動モータにおいては、１０ｇ程度である偏心錘の重心点の回転軌跡円の直径は高々５ｍｍ程度であって携帯電話機（約１００ｇ）全体に波及する振動は微少変位（高々０．１ｍｍオーダー）となるため、人間の最も敏感な触感刺激となる振動数として通常１００〜２００Ｈｚが選定されている。つまり、人体表面を叩く方向（法線方向）に作用する振動変位は微少で、また人体表面の沿面方向に作用する振動変位の方は本来的に不感となるため、人間が体表面を叩く振動成分（変位）自体を知覚すると言うよりも、携帯電話機自身の暴れ方（振動数）を鋭敏に知覚するものである。ところが、携帯電話機の携行態様によっては衣類の質や隙間の介在等から体表面との密着性に遜色が生じ、微少振動の伝播性が悪くなり、呼出を感知し難い場合が多々生じる。
【０００５】
また、使用済みの携帯電話機から振動モータを回収できた場合でも、モータ軸に固着した重金属の偏心錘の再使用が極めて困難であることから、廃棄物のリサイクル率に限界がある。
【０００６】
そこで上記問題点に鑑み、本発明の第１の課題は、比較的大きく変位可能な触覚式呼出装置を備えた折畳式携帯電話機を提供することにある。
【０００７】
また、本発明の第２の課題は、組立・分解が容易で部品の再使用が可能な触覚式呼出装置を備えた折畳式携帯電話機を提供することにある。
【課題を解決するための手段】
【０００８】
本発明に係る折畳式携帯電話機は、ヒンジ結合部を以って本体器と蓋器とが相対的に開閉可能で、蓋器を本体器に重なる閉蓋方向へ付勢する弾性手段を備えた折畳式携帯電話機であって、本体器及び蓋器のうち一方の反ヒンジ結合部側において、電流制御手段からの給電による励磁で本体器及び蓋器のうち他方の反ヒンジ結合部側へ突出する押動部材を持つアクチュエータを有して成ることを特徴とする。
【０００９】
斯かる折畳式携帯電話機において、着信信号等を受信すると、電流制御手段からの給電によりアクチュエータを励磁するため、閉蓋状態にある場合には、本体器及び蓋器のうち一方にある押動部材が弾性手段の付勢力に抗して本体器及び蓋器のうち他方を開蓋方向へ押し動かして比較的大きな変位を惹起し、両器を非閉蓋状態となした後、給電が止むと弾性手段の復帰付勢力によって両器が重なり閉蓋する。即ち、１給電期間毎に両器が不完全な１開閉動作（脈動）を起すため、携行者は比較的大きな変位（数ミリ程度）によって呼出を知覚できる。なお、着信信号が続く限り、上記の開閉動作を繰り返しても良い。
【００１０】
また、斯かるアクチュエータは偏芯錘を用いていないため、組立・分解が容易で部品の再使用が可能となる。
【００１１】
更に、アクチュエータは本体器及び蓋器のうち一方の反ヒンジ結合部側に設けるだけで済むため、折畳式携帯電話機の組立工程を容易化できる。
【００１２】
アクチュエータを本体器及び蓋器のうち一方の厚さ以内に設けるには、十分な起動力の下でアクチュエータ自体の薄型化を図る必要がある。そこで、アクチュエータとしては、ソレノイドと、このソレノイドの中空の軸方向に一端開口から挿入した第１コア部及びこの第１コア部の一端開口側で一体的に連結しソレノイドの外に延在する第１磁気吸着部を備えた第１ヨークと、ソレノイドの中空の軸方向に他端開口から挿入した第２コア部及びこの第２コア部の他端開口側で一体的に連結しソレノイドの外に延在する第２磁気吸着部を備えた第２ヨークと、ソレノイドの非励磁状態では第１磁気吸着部及び第２磁気吸着部に対して離間した位置で受け止めされており、ソレノイドの励磁により第１磁気吸着部及び第２磁気吸着部に磁気吸引されて軸方向に対して直交した方向に動く可動体と、この可動体に取着された上記押動部材とを有する。
【００１３】
ソレノイドが励磁されると、可動体を介して異磁極となった第１磁気吸着部と第２磁気吸着部とに磁気回路が形成されるため、可動体が第１磁気吸着部と第２磁気吸着部とに磁気吸引されて動き吸着されるので、押動部材が軸方向に対して直交した方向に押し出され、これによって両器が押し開かれる。従来のソレノイド・プランジャーとは異なり、押動部材がソレノイドの軸方向に対して直交した方向に押し出されるため、ソレノイドの軸方向を本体器又は蓋器の沿面方向に配置でき、ソレノイドの外径を小さくできるので、充分な起動力が得られるようにターン数を多くしても、アクチュエータの薄型化を実現できる。押動部材の押動ストロークは本体器又は蓋器の厚さ以内に限定されるが、数ミリ程度の変位を得ることができる。
【００１４】
このアクチュエータにおいて、第１磁気吸着部と第２磁気吸着部は軸方向と平行であってソレノイドの側面寄りに空部を挟んで対向し、押動部材は空部内を通る押動ロッドであることが望ましい。小型化によって実装占有面積も縮小化できる。
【００１５】
また、空部に嵌る係合部を一体的に有するケースを備え、係合部は押動ロッドを案内するための案内孔を有することが望ましい。部品点数の削減を図ることができる。
【発明の効果】
【００１６】
本発明によれば、折畳式携帯電話機においてアクチュエータを利用した触覚式呼出装置であるため、比較的大きな変位で触覚式呼出を実現でき、またその触覚式呼出装置の部品の再使用が可能となる。更に、アクチュエータは本体器及び蓋器のうち一方の反ヒンジ結合部側に設けるだけで済むため、折畳式携帯電話機の組立工程を容易化できる。
【発明を実施するための最良の形態】
【００１７】
次に、本発明の実施形態を添付図面に基づいて説明する。
【００１８】
図１は本発明の実施例に係る折畳式携帯電話機を示す斜視図、図２（Ａ）は同実施例におけるアクチュエータの励磁時の非閉蓋状態を示す斜視図、図２（Ｂ）はアクチュエータの非励磁時の閉蓋状態を示す斜視図、図３（Ａ）は同実施例におけるアクチュエータを示す平面図、図３（Ｂ）はその正面図、図３（Ｃ）はその右側面図、図３（Ｄ）は図３（Ａ）中のＡ−Ａ線に沿って切断した状態を示す断面図、図４（Ａ）は図３（Ａ）中のＢ−Ｂ線に沿って切断した状態を示す断面図、図４（Ｂ）は図４（Ａ）中のＣ−Ｃ線に沿って切断した状態を示す断面図、図５は同アクチュエータとその各種部品とその組み付け手順を示す斜視図である。
【００１９】
本例の折畳式携帯電話機１は、一方端のヒンジ結合部２を以って相対的に開閉可能な本体器３と蓋器４とを有する。ヒンジ結合部２には蓋器４と本体器３とを閉蓋方向へ復帰付勢するためのトーションスプリング等の弾性手段（図示せず）が内蔵されている。本体器３は、通常、押しボタン等の操作部（図示せず）及び内蔵基板（図示せず）を備えている。蓋器４は、通常、ディスプレイ部（図示せず）を備えている。
【００２０】
本体器３の他方端側（反ヒンジ結合部側）の隅部にはアクチュエータ１０が内蔵されている。また、本体器３の内蔵基板（図示せず）には着信信号の受信を契機にアクチュエータ１０に対しパルス電流を通電（単方向通電）するための電流制御回路（図示せず）が設けられている。
【００２１】
アクチュエータ１０は、角形筒状のソレノイド１１と、このソレノイド１１の中空の軸方向に一端開口１１ａから挿入した棒状の第１コア部１２ａ及びこの第１コア部１２ａの一端開口１１ａ側で一体的に連結しソレノイド１１の外に延在する第１磁気吸着部１２ｂを備えた第１ヨーク１２と、ソレノイド１１の中空の軸方向に他端開口１１ｂから挿入した棒状の第２コア部１３ａ及びこの第２コア部１３ａの他端開口１１ｂ側で一体的に連結しソレノイド１１の外に延在する第２磁気吸着部１３ｂを備えた第２ヨーク１３と、ソレノイド１１の非励磁状態では第１磁気吸着部１２ｂ及び第２磁気吸着部１３ｂに対して離間した位置で樹脂製ケース１４のストッパー片１４ａで受け止めされており、ソレノイド１１の励磁により第１磁気吸着部１２ｂ及び第２磁気吸着部１３ｂに磁気吸引されて軸方向に対して直交した方向に並進運動する磁性材の被吸引プレート１５と、この被吸引プレート１５の中央に植設された樹脂製の押動ロッド１６とを有する。
【００２２】
ソレノイド１１は、組み付け枠１１０の角筒状のボビン部１１１に巻線を巻回して成り、組み付け枠１１０は角筒状のボビン部１１１の両端に第１鍔部１１２，第２鍔部１１３を一体的に有する。第１鍔部１１２及び第２鍔部１１３における厚肉縁Ｅに形成されたピン穴（図示せず）には、端子ピンＰが圧入されている。
【００２３】
第１ヨーク１２における第１コア部１２ａと第１磁気吸着部１２ｂは大凡Ｓ字状の板材を逆方向に略直角折り曲げ形成されているため、残る連結板部１２ｃに一対の切り込みＳ，Ｓを有し、その一対の切り込みＳ，Ｓは第１鍔部１１２の一対の厚肉係合部Ｋ，Ｋに嵌合している。同様に、第２ヨーク１３における第２コア部１３ａと第２磁気吸着部１３ｂは大凡Ｓ字状の板材を逆方向に略直角折り曲げ形成されているため、残る連結板部１３ｃに一対の切り込みＳ，Ｓを有し、その一対の切り込みＳ，Ｓは第２鍔部１１３の一対の厚肉係合部Ｋ（一方のみ図示）に嵌合している。
【００２４】
第１コア部１２ａと第２コア部１３ａとはソレノイド１１の中空において互いに重なっている。第１磁気吸着部１２ｂは第１コア部１２ａよりも短く、また、第２磁気吸着部１３ｂは第２コア部１３ａよりも短く、第１磁気吸着部１２ｂと第２磁気吸着部１３ｂは軸方向と平行であってソレノイド１１の側面寄りに空部Ｇを挟んで対向している。
【００２５】
ケース１４はストッパー片１４ａに対応して空部Ｇに嵌る係合部１４ｂを有し、この係合部１４ｂは押動ロッド１６を摺動可能に案内するための案内孔Ｈを有する。また、ケース１４は第１鍔部１１２及び第２鍔部１１３の薄肉突片Ｆ，Ｆが嵌る掛止めスリットＴ，Ｔを有する。
【００２６】
本例の折畳式携帯電話機１において、閉蓋状態ではヒンジ結合部２内の弾性手段（図示せず）の付勢力によって蓋器４が押動ロッド１６を押し下げているため、図６（Ａ）に示す如く、被吸引プレート１５はケース１４のストッパー片１４ａで受け止めされている。ここで着信信号等を受信すると、電流制御回路からの給電によりソレノイド１１が励磁されるため、第１磁気吸着部１２ｂと第２磁気吸着部１３ｂとが互いに異磁極となり、図６（Ｂ）に示す如く、被吸引プレート１５内を介して磁気回路が形成されので、被吸引プレート１５が第１磁気吸着部１２ｂと第２磁気吸着部１３ｂとに磁気吸引されて並進運動し、図６（Ｃ）に示す如く、被吸引プレート１５が第１磁気吸着部１２ｂと第２磁気吸着部１３ｂとに架橋的に吸着される。このため押動ロッド１６が軸方向に対して直交した方向（本体器３の厚み方向）に押し出され、これによって蓋器４が図２（Ａ）に示す如く数ミリ程度突き動かされる。給電が止むと、弾性手段（図示せず）の復帰付勢力によって図２（Ｂ）に示す如く蓋器４が本体器３に重なり閉蓋する。即ち、１給電期間毎に両器３，４が不完全な１開閉動作（脈動）を起すため、携行者は比較的大きな変位（数ミリ程度）によって呼出を知覚できる。なお、着信信号が続く限り、上記の開閉動作を繰り返しても良い。
【００２７】
また、斯かるアクチュエータ１０では偏芯錘を用いていないため、組立・分解が容易で部品の再使用が可能となる。更に、アクチュエータ１０は本体器３又は蓋器４の一方に設けるだけで済むため、折畳式携帯電話機１の組立工程を容易化できる。
【００２８】
本例のアクチュエータ１０では、押動ロッド１６がソレノイド１１の軸方向に対して直交した方向に押し出されるため、ソレノイド１１の軸方向を本体器３の沿面方向に配置でき、ソレノイド１１の外径を小さくできるので、充分な起動力が得られるようにターン数を多くしても、アクチュエータ１０の薄型化を実現できる。その分、押動ロッド１６のストロークは本体器３の厚さ以内に限定されるが、数ミリ程度の変位を得ることができる。
【００２９】
また、第１磁気吸着部１２ｂと第２磁気吸着部１３ｂは軸方向と平行であってソレノイド１１の側面寄りに空部Ｇを挟んで対向し、押動ロッド１６が空部Ｇ内を通るように配置されているため、デットスペースを削減でき、アクチュエータ１０の実装占有面積を縮小化できる。その上、ケース１４は空部Ｇに嵌る係合部１４ｂを一体的に有し、この係合部１４ｂに押動ロッド１６を案内するための案内孔Ｈが形成されているため、部品点数を削減できる。
【００３０】
なお、押動ロッド１６の先端が蓋器４の隅部表面に当ることから、その隅部表面に緩衝材を貼付したり、押動ロッド１６の先端を緩衝材で覆い、異音発生を抑制することが望ましい。また、蓋器４が開蓋状態において着信信号が発生すると、押動ロッド１６の出没が繰り返されるが、これが体裁等に支障のある場合、蓋器４の開蓋状態を検出して検出信号が発生している場合には、論理ゲート等によって、ソレノイド１１への給電を禁止するように電流制御回路を構成しても良い。
【図面の簡単な説明】
【００３１】
【図１】本発明の実施例に係る折畳式携帯電話機を示す斜視図である。
【図２】（Ａ）は同実施例におけるアクチュエータの励磁時の非閉蓋状態を示す斜視図、図（Ｂ）はアクチュエータの非励磁時の閉蓋状態を示す斜視図である。
【図３】（Ａ）は同実施例におけるアクチュエータを示す平面図、（Ｂ）はその正面図、（Ｃ）はその右側面図、（Ｄ）は（Ａ）中のＡ−Ａ線に沿って切断した状態を示す断面図である。
【図４】（Ａ）は図３（Ａ）中のＢ−Ｂ線に沿って切断した状態を示す断面図、（Ｂ）は図４（Ａ）中のＣ−Ｃ線に沿って切断した状態を示す断面図である。
【図５】同アクチュエータとその各種部品とその組み付け手順を示す斜視図である。
【図６】（Ａ）〜（Ｃ）は図３（Ａ）中のＢ−Ｂ′線で切断した状態における押動ロッドの動きを順に示す断面図である。
【符号の説明】
【００３２】
１…折畳式携帯電話機
２…ヒンジ結合部
３…本体器
４…蓋器
１０…アクチュエータ
１１…ソレノイド
１１ａ…一端開口
１１ｂ…他端開口
１２…第１ヨーク
１２ａ…第１コア部
１２ｂ…第１磁気吸着部
１２ｃ，１３ｃ…連結板部
１３…第２ヨーク
１３ａ…第２コア部
１３ｂ…第２磁気吸着部
１４…ケース
１４ａ…ストッパー片
１４ｂ…係合部
１５…被吸引プレート
１６…押動ロッド
１１０…組み付け枠
１１１…ボビン部
１１２…第１鍔部
１１３…第２鍔部
Ｅ…厚肉縁
Ｆ…薄肉突片
Ｇ…空部
Ｈ…案内孔
Ｋ…厚肉係合部
Ｐ…端子ピン
Ｓ…切り込み
Ｔ…掛止めスリット
【図１】
2006140889.tif 000003
【図２】
2006140889.tif 000004
【図３】
2006140889.tif 000005
【図４】
2006140889.tif 000006
【図５】
2006140889.tif 000007
【図６】
2006140889.tif 000008